(57)【要約】【課題】隣り合う外壁パネル間の目地に取り付けたカバー材を簡単に取り外すことのできる目地ジョイナーを提案する。【解決手段】本発明の目地ジョイナー１は、隣り合う外壁パネルＰ間の目地Ｓを覆う目地ジョイナー１であって、目地Ｓの正面側に配置されるカバー材２と、このカバー材２の背面側に配置されるベース材３とを備える。カバー材２は、背面側に突出する係止用突片４を有し、ベース材３は、係止用突片４が抜き差し自在に挿通される挿通孔５と、この挿通孔５に連続する被係止孔６とを有する。係止用突片４が被係止孔６に係止されることで、カバー材２がベース材３に取り付けられる。【選択図】図１
2013237979.tif 000002
【特許請求の範囲】
【請求項１】
隣り合う外壁パネル間の目地を覆う目地ジョイナーであって、
前記目地の正面側に配置されるカバー材と、このカバー材の背面側に配置されるベース材とを備え、
前記カバー材は、背面側に突出する係止用突片を有し、
前記ベース材は、前記係止用突片が抜き差し自在に挿通される挿通孔と、この挿通孔に連続する被係止孔とを有し、
前記係止用突片が前記被係止孔に係止されることで、前記カバー材が前記ベース材に取り付けられることを特徴とする目地ジョイナー。
【請求項２】
前記挿通孔は、前記被係止孔の上方に位置し、前記被係止孔よりも幅広であることを特徴とする請求項１に記載の目地ジョイナー。
【請求項３】
前記カバー材は、前記係止用突片が前記被係止孔に係止された位置で前記ベース材に対して固定するための固定構造を備えることを特徴とする請求項１または２に記載の目地ジョイナー。
【発明の詳細な説明】
【技術分野】
【０００１】
本発明は、隣り合う外壁パネル間の目地を覆う目地ジョイナーに関する。
【背景技術】
【０００２】
特許文献１には、隣り合う外壁材間を、目地キャップとジョイナーからなる接合部材で挟み込むことが提案されている。
【０００３】
目地キャップは、ジョイナーに掛止されるものであり、一旦掛止されると、ジョイナーから容易に引き抜くことができないような形状となっている。
【先行技術文献】
【特許文献】
【０００４】
【特許文献１】特開２０００−１９６４号公報
【発明の概要】
【発明が解決しようとする課題】
【０００５】
上述した特許文献１の接合部材では、隣り合う外壁材間の目地をカバーする目地キャップを交換したい場合に、ジョイナーから取り外すことが困難である。
【０００６】
そこで、本発明は、隣り合う外壁パネル間の目地に取り付けたカバー材を簡単に取り外すことのできる目地ジョイナーを提案することを課題とする。
【課題を解決するための手段】
【０００７】
上記課題を解決するために本発明の目地ジョイナーは、隣り合う外壁パネル間の目地を覆う目地ジョイナーであって、前記目地の正面側に配置されるカバー材と、このカバー材の背面側に配置されるベース材とを備え、前記カバー材は、背面側に突出する係止用突片を有し、前記ベース材は、前記係止用突片が抜き差し自在に挿通される挿通孔と、この挿通孔に連続する被係止孔とを有し、前記係止用突片が前記被係止孔に係止されることで、前記カバー材が前記ベース材に取り付けられることを特徴とする。
【０００８】
また、前記挿通孔は、前記被係止孔の上方に位置し、前記被係止孔よりも幅広であることが好ましい。
【０００９】
また、前記カバー材は、前記係止用突片が前記被係止孔に係止された位置で前記ベース材に対して固定するための固定構造を備えることが好ましい。
【発明の効果】
【００１０】
本発明の目地ジョイナーは、隣り合う外壁パネル間の目地を覆うカバー材をベース材から取り外す際に、被係止孔に係止されている係止用突片を、この被係止孔に連続する挿通孔までスライドさせ、引き抜くだけでカバー材を簡単に取り外すことができる。
【図面の簡単な説明】
【００１１】
【図１】本発明の第一実施形態の目地ジョイナーのカバー材を、隣り合う外壁パネル間の目地の背面側に取り付けたベース材へ取り付ける様子を示す平断面図であり、（ａ）は取り付け前の状態を示し、（ｂ）は取り付け後の状態を示す。
【図２】同上の目地ジョイナーのカバー材を示し、（ａ）は平面図であり、（ｂ）は背面図であり、（ｃ）は側面図である。
【図３】同上の目地ジョイナーのベース材を示し、（ａ）は平面図であり、（ｂ）は背面図であり、（ｃ）は側面図である。
【図４】同上の目地ジョイナーのカバー材を、ベース材へ取り付ける様子を示す斜視図であり、（ａ）は取り付け前の状態を示し、（ｂ）は取り付け後の状態を示す。
【図５】同上の目地ジョイナーを、隣り合う外壁パネル間の目地に取り付けた状態を示す斜視図である。
【図６】（ａ）は本発明の第二実施形態の目地ジョイナーのカバー材を、隣り合う外壁パネル間の背面側に取り付けたベース材へ取り付けた状態を示す平断面図であり、（ｂ）は本発明の第三実施形態の目地ジョイナーのカバー材を、隣り合う外壁パネル間の背面側に取り付けたベース材へ取り付けた状態を示す平断面図である。
【発明を実施するための形態】
【００１２】
以下、本発明の実施形態について添付図面に基づいて説明する。
【００１３】
第一実施形態の目地ジョイナー１は、図５に示すように、横並びに隣り合う外壁パネルＰ間の目地Ｓを上下方向に亘って覆って、この目地Ｓをシールするものである。目地ジョイナー１は、鋼板、アルミ、樹脂等で形成されている。外壁パネルＰは、金属製のサイディング等である。
【００１４】
目地ジョイナー１は、図１に示すように、隣り合う外壁パネルＰ間の目地Ｓの正面側に配置されるカバー材２と、このカバー材２の背面側に配置されるベース材３とを備える。このカバー材２によって、目地Ｓの正面側が覆われる。
【００１５】
カバー材２は、背面側に突出する係止用突片４を有し、ベース材３は、係止用突片４が抜き差し自在に挿通される挿通孔５と、この挿通孔５に連続する被係止孔６とを有する（図３（ｂ）参照）。カバー材２は、係止用突片４を挿通孔５に挿通させ、この係止用突片４を被係止孔６までスライド移動させることで、係止用突片４が被係止孔６に係止されて、ベース材３に取り付けられる。
【００１６】
本実施形態の目地ジョイナー１のカバー材２は、図２に示すように、目地Ｓの正面側を覆う上下方向に長尺のカバー部２０と、カバー部２０の背面側から突出した複数の係止用突片４とを備える。複数の係止用突片４は、上下に並べて配置されている。カバー部２０は、縦長の長方形板状の正面部２１と、その左右両端から折り返して左右方向中央部まで延びた左右一対の縦長の長方形板状の背面部２２とを備える。左右一対の背面部２２の先端部（左右方向中央部側の端部）からはそれぞれ、突出部４０が背面側に突出しており、この突出部４０の先端からは、係止部４１が正面側に向けて突出している。左右一対の係止部４１は、先端側ほど突出部４０から離れるように突出している。左右一対の突出部４０及び係止部４１は、略線対称となっている。この左右一対の突出部４０及び係止部４１によって、係止用突片４は構成されている。
【００１７】
そして、カバー部２０の上端部には、カバー材２をベース材３に固定するための固定構造７が形成されている。本実施形態では、固定構造７は、カバー部２０の正面部２１の上端部から背面側に突出する突部７０と、突部７０の先端から上方に向けて突出する固定部７１とで構成されている。固定部７１には、ねじ等の固定具が挿通される固定孔７２が形成されている。
【００１８】
カバー材２の左右一対の背面部２２の背面側には、図１に示すように、水密材８が接着等で取り付けられる。水密材８は、カバー材２と外壁パネルＰとの間をシーリングするためのものである。
【００１９】
本実施形態の目地ジョイナー１のベース材３は、図３に示すように、ハット型のベース部３０と、複数対の挿通孔５及び被係止孔６とを備える。複数対の挿通孔５及び被係止孔６は、ベース部３０のうち正面側に突出した中央部３１に形成されており、カバー材２の複数の係止用突片４に対応するように、上下に並べて配置されている。挿通孔５は、被係止孔６の上方に配置されており、被係止孔６よりも左右方向に幅広に形成されている。挿通孔５及び被係止孔６は、矩形孔状に形成されている。本実施形態では、被係止孔６の左右方向の開口幅は、係止用突片４の左右一対の突出部４０間の距離よりも若干広く、左右一対の係止部４１の先端間の距離よりも短くなるように形成されている。また、挿通孔５の左右方向の開口幅は、係止用突片４の左右一対の係止部４１の先端間の距離よりも広くなるように形成されている。なお、被係止孔６及び挿通孔５の左右方向の開口幅は、係止用突片４に合わせて適宜設定可能であり、その形状は矩形孔状に限定されない。
【００２０】
以上説明したカバー材２及びベース材３は、図１に示すように、隣り合う外壁パネルＰ間の目地Ｓの背面側にベース材３が配置され、目地Ｓの正面側にカバー材２が配置され、ベース材３にカバー材２が取り付けられる。このようにカバー材２をベース材３に取り付けた状態で、カバー材２の背面側に取り付けた水密材８が、カバー材２と外壁パネルＰとの間の隙間を埋めてシーリングする。図４では、外壁パネルＰ及び水密材８の表示を省略したベース材３へのカバー材２の取り付けの様子を示している。
【００２１】
この取り付けの手順をさらに詳しく説明すると、まず、カバー材２の係止用突片４を、ベース材３の挿通孔５に挿入する。次いで、カバー材２を下方へとスライド移動させて、係止用突片４を被係止孔６まで移動させて被係止孔６に係止させ、カバー材２をベース材３に仮固定する。次いで、カバー材２の固定構造７の固定孔７２にねじ等の固定具を挿通し、ベース材３の挿通孔５上方の中央部３１にこの固定部７１を固定し、カバー材２をベース材３に本固定する。
【００２２】
係止用突片４が被係止孔６に係止された状態では、図１（ｂ）に示すように、係止用突片４の左右一対の係止部４１の先端が、ベース材３の中央部３１の背面側に当接して、カバー材２は正面側に抜けにくい状態となる。
【００２３】
また、この隣り合う外壁パネルＰ間の目地Ｓを覆うカバー材２をベース材３から取り外す際には、固定具を取り外し、カバー材２を上方へとスライド移動させて、被係止孔６に係止されている係止用突片４を、挿通孔５まで移動させて、この係止用突片４を挿通孔５から引き抜く。
【００２４】
上述したように本実施形態では、カバー材２をベース材３から取り外すにあたって、係止用突片４を抜き差し自在な挿通孔５から引き抜くことができる。そのため、係止用突片４と係止状態にある被係止孔６から係止用突片４を引き抜かなくてもよいので、カバー材２をベース材３から簡単に取り外しができる。
【００２５】
なお、本実施形態では、カバー材２に、外壁パネルＰとの間のシーリングを行う水密材８を取り付けているため、カバー材２をベース材３から取り外すと、水密材８は外壁パネルＰから外れる。
【００２６】
以上説明した第一実施形態の目地ジョイナー１は、横並びに隣り合う外壁パネルＰ間の目地Ｓを覆うものであったが、これに限定されない。すなわち、図６（ａ）に示す第二実施形態の目地ジョイナー１のように、略直角をなすように隣り合う外壁パネルＰ間の目地Ｓ（出隅部の目地Ｓ）を覆うものであってもよい。また、図６（ｂ）に示す第三実施形態の目地ジョイナー１のように、略直角をなすように隣り合う外壁パネルＰ間の目地Ｓ（入隅部の目地Ｓ）を覆うものであってもよい。
【００２７】
第二及び三実施形態の目地ジョイナー１では、カバー材２は、カバー部２０が、外壁パネルＰの表面に当接するように、折れ曲げられている。また、ベース材３は、ベース部３０の左右両端部が、外壁パネルＰの背面に当接するように折り曲げられている。なお、第一実施形態の目地ジョイナー１と同様の構成については図中に同じ符号を付けている。
【００２８】
以上のようにカバー材２とベース材３とを折り曲げて設けることによって、第二及び三実施形態の目地ジョイナー１は、入隅部の目地Ｓや出隅部の目地Ｓを覆うことができる。第二及び三実施形態の目地ジョイナー１の目地Ｓへの取り付け及び取り外しは、上述した第一実施形態の目地ジョイナー１と同様であるため、説明を省略する。
【００２９】
第二及び三実施形態の目地ジョイナー１においても、カバー材２をベース材３から取り外すにあたって、係止用突片４を抜き差し自在な挿通孔５から引き抜くようにしているため、カバー材２をベース材３から簡単に取り外しできる。
【００３０】
以上まとめると、第一乃至第三実施形態の目地ジョイナー１は、隣り合う外壁パネルＰ間の目地Ｓを覆う目地ジョイナー１であって、目地Ｓの正面側に配置されるカバー材２と、このカバー材２の背面側に配置されるベース材３とを備える。カバー材２は、背面側に突出する係止用突片４を有し、ベース材３は、係止用突片４が抜き差し自在に挿通される挿通孔５と、挿通孔５に連続する被係止孔６とを有する。係止用突片４が被係止孔６に係止されることで、カバー材２がベース材３に取り付けられる。
【００３１】
このような構成とすることで、隣り合う外壁パネルＰ間の目地Ｓを覆うカバー材２をベース材３から取り外す際に、被係止孔６に係止されている係止用突片４を、被係止孔６に連続する挿通孔５までスライドさせ、引き抜くだけでカバー材２を簡単に取り外すことができる。
【００３２】
また、第一乃至第三実施形態の目地ジョイナー１では、挿通孔５は、被係止孔６の上方に位置し、被係止孔６よりも幅広である。
【００３３】
このような構成とすることで、カバー材２をベース材３から取り外す際、被係止孔６に係止されている係止用突片４を挿通孔５まで上方にスライドさせ、引き抜くだけでカバー材２を簡単に取り外すことができる。
【００３４】
また、第一乃至第三実施形態の目地ジョイナー１では、カバー材２は、係止用突片４が被係止孔６に係止された位置でベース材３に対して固定するための固定構造７を備える。
【００３５】
このような構成とすることで、係止用突片４を被係止孔６に係止させて仮固定とした状態で、固定構造７によって本固定を行うことができる。
【００３６】
なお、上述した第一乃至第三実施形態の目地ジョイナー１は、上下方向に延びる目地Ｓを覆うものであったが、上下に並ぶ外壁パネルＰ間の左右方向に延びる目地Ｓを覆うようにしてもよい。
【００３７】
以上、本発明を添付図面に示す実施形態に基づいて説明したが、本発明は上記の各実施形態に限定されるものではなく、本発明の意図する範囲内であれば、適宜の設計変更が可能である。
【符号の説明】
【００３８】
１      目地ジョイナー
２      カバー材
３      ベース材
４      係止用突片
５      挿通孔
６      被係止孔
７      固定構造
Ｐ      外壁パネル
Ｓ      目地
【図１】
2013237979.tif 000003
【図２】
2013237979.tif 000004
【図３】
2013237979.tif 000005
【図４】
2013237979.tif 000006
【図５】
2013237979.tif 000007
【図６】
2013237979.tif 000008